(57)【要約】【課題】防水機能を有する防水機能付きコネクタの提供。【解決手段】  ハウジング２は、基板Ｃに接続される基板接続端子部１５，１６を有する筒状のシールド部材６と、レセプタクル側接触端子３，３...を支持するモールド部材７とをもって構成され、プラグＢが挿入口に挿入されることによりプラグＢに支持されたプラグ側接触端子４，４...とレセプタクル側接触端子３，３...とが接触されるようにし、モールド部材７は、基板接続端子部１５，１６を露出させた状態でシールド部材６の筒状外側面及び後側開口を覆う防水用被覆部８を有し、防水用被覆部８は、シールド部材６と一体的に成形されることにより形成される。【選択図】  図３
2012059381.tif 000002
【特許請求の範囲】
【請求項１】
プラグが挿入されるプラグ挿入部が前面に開口されたハウジングと、該ハウジングに支持され前記プラグ挿入部内に露出した複数のレセプタクル側接触端子とを備え、
該ハウジングは、基板に接続される基板接続端子部を有する筒状のシールド部材と、前記レセプタクル側接触端子を支持するモールド部材とをもって構成され、
前記プラグが前記挿入口に挿入されることにより前記プラグに支持されたプラグ側接触端子と前記レセプタクル側接触端子とが接触されるようにしてなるコネクタであって、
前記モールド部材は、前記基板接続端子部を露出させた状態で前記シールド部材の筒状外側面及び後側開口を覆う防水用被覆部を備え、インサート成型により前記シールド部材及びレセプタクル側接触端子と一体化されたことを特徴としてなる防水機能付きコネクタ。
【請求項２】
シールド部材の外側面には、外向きに窪んだ係止用凹部を備えた請求項１に記載の防水機能付きコネクタ。
【請求項３】
前記係止用凹部の外側面を前記防水用被覆部の外側面に露出させた請求項２に記載の防水機能付きコネクタ。
【発明の詳細な説明】
【技術分野】
【０００１】
本発明は、Ｍｉｃｒｏ―ＵＳＢコネクタ、ＵＳＢコネクタ等のコネクタであって、防水機能を有する防水機能付きコネクタに関する。
【背景技術】
【０００２】
従来、Ｍｉｃｒｏ−ＵＳＢコネクタやＵＳＢコネクタ等のコネクタにあっては、プラグがレセプタクルに挿入されることにより互いの接触端子が接触し、電気的に接続がなされるようにしたものが提供されている（例えば、特許文献１）。
【０００３】
この種のＭｉｃｒｏ−ＵＳＢコネクタやＵＳＢコネクタ等のコネクタでは、プラグが挿入されるプラグ挿入部１００を有するハウジング１０１を備え、このハウジング１０１は、レセプタクル側接触端子１０２，１０２...を支持するモールド部材１０３と、導電性金属材を折り曲げ加工することにより形成された筒状のシールド部材１０４とをもって構成されたものが知られている。
【０００４】
モールド部材１０３は、図１１に示すように、シールド部材１０４の後端部に嵌め込まれる後壁部１０５と、後壁部の前面に突出した平板状の端子支持部１０６とを有し、絶縁性樹脂部材をもって成形されている。
【０００５】
このモールド部材１０３には、複数のレセプタクル側接触端子１０２，１０２...が一体的に成形されることにより支持されている。
【０００６】
この接触端子は、端子支持部１０６の上面にプラグ側接触端子と接触される接触片１０２ａを露出させた状態、且つ基板に接続される基板接触片１０２ｂを後壁部１０５の後側面より後方に突出させた状態になっている。
【０００７】
この種のコネクタでは、シールド部材１０４とモールド部材１０３とを別個に成形しておき、モールド部材１０３をシールド部材１０４の背面側より挿入し、シールド部材１０４の後端部に嵌め込み、シールド部材の天板の後縁部より固定用片部１０７及び基板接続端子部１０８，１０８を下向きに折り曲げてモールド部材後壁部１０５の後背面を押圧させて固定する構造になっている。
【０００８】
また、シールド部材１０４には、天板又は底板を貫通した係止用孔１０９，１０９が形成されており、この孔にプラグに形成された係止用弾性片が嵌り込むことにより互いに係止され、抜け止めがなされるようになっている。
【先行技術文献】
【特許文献】
【０００９】
【特許文献１】特開２００３−４４４７２号公報
【発明の概要】
【発明が解決しようとする課題】
【００１０】
上述した従来のコネクタは、シールド部材にモールド部材の後壁部を嵌め込み組立てる構造であるため、各部材間即ち、シールド部材とモールド部材との間に嵌め合い用の隙間（クリアランス）を有しており、プラグ挿入部内に水滴等が侵入した際にこの隙間から水滴が当該コネクタを取り付けた機器の内部に侵入してしまう虞があるという問題があった。
【００１１】
また、この種のコネクタでは、シールド部材を貫通する係止孔を形成したことにより、プラグ挿入部の開口部より侵入した水滴等がこの係止孔から機器内部に侵入してしまう虞があるという問題があった。
【００１２】
本発明は、このような従来の問題に鑑み、防水機能を有する防水機能付きコネクタの提供を目的としてなされたものである。
【課題を解決するための手段】
【００１３】
上述の如き従来の問題を解決し、所期の目的を達成するための請求項1に記載の発明の特徴は、プラグが挿入されるプラグ挿入部が前面に開口されたハウジングと、該ハウジングに支持され前記プラグ挿入部内に露出した複数のレセプタクル側接触端子とを備え、該ハウジングは、基板に接続される基板接続端子部を有する筒状のシールド部材と、前記レセプタクル側接触端子を支持するモールド部材とをもって構成され、前記プラグが前記挿入口に挿入されることにより前記プラグに支持されたプラグ側接触端子と前記レセプタクル側接触端子とが接触されるようにしてなるコネクタであって、前記モールド部材は、前記基板接続端子部を露出させた状態で前記シールド部材の筒状外側面及び後側開口を覆う防水用被覆部を備え、インサート成型により前記シールド部材及びレセプタクル側接触端子と一体化された防水機能付きコネクタにある。
【００１４】
請求項２に記載の発明の特徴は、請求項１の構成に加え、シールド部材の外側面には、外向きに窪んだ係止用凹部を備えたことにある。
【００１５】
請求項３に記載の発明の特徴は、請求項２の構成に加え、前記係止用凹部の外側面を前記防水用被覆部の外側面に露出させたことにある。
【発明の効果】
【００１６】
本発明に係るカードコネクタは、上述したように、プラグが挿入されるプラグ挿入部が前面に開口されたハウジングと、該ハウジングに支持され前記プラグ挿入部内に露出した複数のレセプタクル側接触端子とを備え、該ハウジングは、基板に接続される基板接続端子部を有する筒状のシールド部材と、前記レセプタクル側接触端子を支持するモールド部材とをもって構成され、前記プラグが前記挿入口に挿入されることにより前記プラグに支持されたプラグ側接触端子と前記レセプタクル側接触端子とが接触されるようにしてなるコネクタであって、前記モールド部材は、前記基板接続端子部を露出させた状態で前記シールド部材の筒状外側面及び後側開口を覆う防水用被覆部を備え、インサート成型により前記シールド部材及びレセプタクル側接触端子と一体化されたことにより、プラグ挿入部内に侵入した水滴等がレセプタクルを取り付けた機器内部に流れ込むのを防止し、高価な特殊合成樹脂を使用せずとも水の飛沫や噴流に対する保護が十分になされる。
【００１７】
また、本発明において、シールド部材の外側面には、外向きに窪んだ係止用凹部を備えたことにより、防水効果を発揮しつつプラグを好適に係止させることができる。
【００１８】
更に本発明において、前記係止用凹部の外側面を前記モールド部材の外側面に露出させたことにより、コネクタ高さを抑えるとともに、モールド部材に対するシールド部材の前後方向の移動を規制することができ、強固に一体化がなされる。
【図面の簡単な説明】
【００１９】
【図１】本発明に係る防水機能付きコネクタの一例を示す分解斜視図である。
【図２】図１中のレセプタクルを示す斜視図である。
【図３】同上のレセプタクルを底背面側から見た斜視図である。
【図４】図２中のａ−ａ線断面図である。
【図５】同上のｂ−ｂ線断面図である。
【図６】図１中の基板を示す平面図である。
【図７】図２中のシールド部材を示す斜視図である。
【図８】（ａ）は同上のシールド部材を示す平面図、（ｂ）は同底面図、（ｃ）は同側面図、（ｄ）は同背面図である。
【図９】本発明に係る防水機能付きコネクタの取り付け状態の一例を示す正面図である。
【図１０】（ａ）は図１中のプラグを示す正面図、（ｂ）は同平面図、（ｃ）は同底面図、（ｄ）は同側面図である。
【図１１】（ａ）は従来のコネクタを構成するレセプタクルの一例を示す斜視図、（ｂ）は同背面側から見た斜視図、（ｃ）は同分解斜視図である。
【発明を実施するための形態】
【００２０】
次に、本発明の実施の態様を、図面に示した実施例に基づいて説明する。
【００２１】
図１は本発明に係る防水機能付きコネクタの一例を示し、図中符号Ａはレセプタクル、ＢはＭｉｃｒｏ−ＵＳＢプラグ等のプラグ、ＣはＰＣＢ等の基板である。
【００２２】
レセプタクルＡは、図２〜図５に示すように、前面に開口したプラグ挿入部１を有するハウジング２と、ハウジング２に支持された複数のレセプタクル側接触端子３，３...とを備え、プラグ挿入部１内にプラグＢが挿入されることにより、レセプタクル側接触端子３，３...がプラグＢのプラグ側接触端子４，４...と接触し、レセプタクルＡとプラグＢとが電気的に接続されるようになっている。
【００２３】
尚、本明細書においては、「前」はプラグ挿入部開口側をいい、「後」はプラグ挿入部奥側をいうものとする。
【００２４】
また、レセプタクルＡは、所謂ミッドマウント方式により基板Ｃに支持され、図６に示す基板Ｃの前縁部に形成された切欠き部５に嵌り込み、略上半部分のみが基板上に配置されるようになっている。
【００２５】
ハウジング２は、筒状のシールド部材６と、絶縁性合成樹脂部材からなるモールド部材７とを一体的に成形、即ちシールド部材６を成形金型内にセットした状態でインサート成型することにより形成され、防水用被覆部８がシールド部材６の筒状外側面及び後側開口を覆うように形成され、前面にプラグＢが挿入されるプラグ挿入部１が開口されている。
【００２６】
シールド部材６は、図７、図８に示すように、平板状の天板部１０と、天板部１０の両側縁を下向きに折り曲げた形状の左右の側壁板部１１，１２と、左右の側壁板部１１，１２の下縁内側に配置された底板部１３とを一体に有し、導電性金属板材を打ち抜き・曲げ加工することにより前後が開口した四角形筒状に形成され、この筒状部内はプラグＢが挿入されるプラグ挿入部１を形成している。
【００２７】
尚、底板部１３は、左右の側壁板部１１，１２の下縁より内向きに折り曲げた形状の左右の底板材１３ａ，１３ｂの内側端縁部を互いに突き合わせて嵌め合せることにより一枚の平板状に形成されている。また、底板部１３には、係止用凹部１４，１４が形成されている。
【００２８】
係止用凹部１４は、絞り加工により外側に凹んだ平皿状に形成され、底板部１３の内外部側は非貫通状態で水滴等を通さないようになっている。尚、この係止用凹部１４の外側面は防水用被覆部８の下面に露出させている。
【００２９】
また、シールド部材６には、ＰＣＢ等の基板Ｃに接続される横向き基板接続端子部１５と、後向き基板接続端子部１６とを一体に備えている。
【００３０】
横向き基板接続端子部１５は、左右の側壁板部１１，１２より水平横向きに伸長した形状の横向き水平延長部１７と、その横向き水平延長部１７の先端側縁を下向きに折り曲げた形状の下向き端子部１８とを以て構成されている。
【００３１】
尚、横向き基板接続端子部１５は、天板部１０及び左右の側壁板部１１，１２を形成する板材の一部を横向き水平延長部の基端を残して横向き基板接続端子部１５の外形に合わせて切り出し、その切り出した部分を折り曲げることにより形成されている。よって、天板部１０から側壁板部１１，１２に渡って切り出し孔１９，１９が形成されている。
【００３２】
下向き端子部１８の下側側縁部には、切欠き凹部１８ａ，１８ａが形成されており、下向き端子部１８が基板Ｃに形成された挿通孔（スルーホール）２０に挿入され、半田付けされた際に、半田が挿通孔２０内に流れ込むと共に切欠き凹部１８ａ内にも流れ込み、半田が固化することにより強固に固定されるようになっている。
【００３３】
後向き基板接続端子部１６は、天板部１０の側部後縁より後方に延長された形状の後向き水平延長片部２１と、側壁板部１１，１２の上部後縁より後方に延長された形状の後向き鉛直延長片部２２と、後向き水平延長片部２１の後縁より下向きに折り曲げた形状の下向き端子片部２３とが一体に形成されている。
【００３４】
後向き水平延長片部２１の後縁には、切欠きを形成することにより下向き端子片部２３が折り曲げやすくなっている。
【００３５】
後向き鉛直延長片部２２は、後向き水平延長片部２１の側縁より下向きに折り曲げた形状に形成されており、天板部１０に対し側壁板部１１，１２が折り曲げ加工されるのに伴い後向き鉛直延長片部２２も後向き水平延長片部２１に対し折り曲げられている。
【００３６】
また、後向き鉛直延長片部２２は、その下縁部が基板Ｃの固定パターン２４に半田付けされ、ハウジング２が基板Ｃに固定されるようになっている。
【００３７】
下向き端子片部２３は、下向き端子片部２３が基板Ｃに形成された挿通孔（スルーホール）２５に挿入され、半田付けされることにより半田が挿通孔２５内に流れ込み、下向き端子片部２３と挿通孔内面とが半田により強固に固定されるようになっている。
【００３８】
尚、この下向き端子片部２３は、インサート成型前においては後向き水平延長片部２１の後縁より水平方向に延長されており、インサート成型後下向きに折り曲げられて形成される。
【００３９】
モールド部材７は、シールド部材６の筒状外側面及び後ろ開口を覆う防水用被服部８を備え、インサート成型によりシールド部材６及びレセプタクル側接触端子３と一体化されている。
【００４０】
防水用被覆部８は、シールド部材６の後側開口を閉鎖する後壁部３１と、後壁部３１の周縁より前方に向けて伸長した形状の上下左右の版部３２，３３，３４，３５とを以て一体に構成され、上下左右の版部３２，３３，３４，３５はそれぞれシールド部材６の天板部１０、底板部１３及び左右の側壁板部１１，１２の外側面に密着し被覆するようになっており、後壁部３１及び上下左右の版部３２，３３，３４，３５により前面のみが開口した筒状をなしている。
【００４１】
後壁部３１は、矩形状に形成され、その後背面より後向き基板接続端子１６，１６が後方に突出した状態で露出するようになっている。
【００４２】
尚、この後壁部３１に対する後向き基板接続端子突出部分の基端部にあっては、インサート成型したことにより後壁部３１をなす合成樹脂部材と後向き基板接続端子部１６表面とが密着した状態にあり、水の飛沫や噴流に対して保護がなされる程度、即ち水の飛沫又はノズルによる噴流水によっても有害な影響が出ない程度に水を通さないようになっている。
【００４３】
後壁部３１の前面の中央下側には、前方に突出した平板状の端子支持部３６が一体に形成され、シールド部材６の内側、即ちプラグ挿入部１内に突出した状態に支持されている。
【００４４】
この端子支持部３６の上面部には、横方向に並べた配置に複数の前後方向の端子収容溝３７，３７...が形成されており、この端子収容溝３７に沿ってレセプタクル側接触端子３の接触片部３８が上面側を露出させた状態で支持されている。
【００４５】
下版部３３には、シールド部材６の係止用凹部１４が埋め込まれ、且つ係止用凹部１４の下面が露出した状態になっており、前後方向での抜け止めの効果も担っている。
【００４６】
尚、係止用凹部１４は底板部１３の板圧方向で貫通していないので、下版部３３の下面と係止用凹部１４の下面とを同一平面上とし、係止用凹部１４を下版部の下面に露出させても、プラグ挿入部内に侵入した水滴等を通さないようになっている。
【００４７】
また、シールド部材の天板部から左右の側壁板部にかけて形成された切り出し孔１９，１９には、成形時に上版部及び左右版部と一体に合成樹脂材が充填され、塞がれるようになっている。
【００４８】
この左右の版部３４，３５には、支持兼押さえ用凸部４０が一体に形成され、この凸部４０が基板Ｃの切欠き部５側縁部に支持されるようになっている。
【００４９】
この支持兼押さえ用凸部４０は、上面及び下面が平らに形成され、上下両面が互いに平行な平面を形成するようになっている。
【００５０】
また、この支持兼押さえ用凸部４０は、横向き基板接続端子部１５の横向き水平延長部１７が内部を貫通した状態に成形され、横向き水平延長部１７の強度を高める効果を奏している。
【００５１】
尚、支持兼押さえ用凸部４０をなす合成樹脂部材と横向き水平延長部１７の外面とは、密着した状態にあり、水の飛沫や噴流に対して保護がなされる程度、即ち水の飛沫又はノズルによる噴流水によっても有害な影響が出ない程度に水を通さないようになっている。
【００５２】
また、図９に示すように、この支持兼押さえ用凸部４０が基板対応支持手段を介して基板Ｃと機器躯体Ｄとの間に挟み込まれるようにしてもよい。
【００５３】
基板対応支持手段は、ハウジング２の基板Ｃに支持される部分（支持兼押さえ用凸部４０）の上側に配置され、且つ、その上面部がハウジング２の基板に支持されていない部分、即ち、切欠き部５に嵌り込んでいる部分の上面より高い位置になるように形成されている。
【００５４】
基板対応受け手段には、押え金具４１を使用し、この押え金具４１は、矩形状の躯体受け部４２と、躯体受け部４２の側縁より下向きに折り曲げた形状の鉛直ストッパー部４３とを有し、金属材をもって一体に形成されている。
【００５５】
躯体受け部４２は、一定の厚さ、即ち支持兼押さえ用凸部４０上に載置された際に、躯体受け部４２の上面がハウジング２の上面（上版部３２）より高い位置となるような厚さの平板状に形成されている。
【００５６】
鉛直ストッパー部４３は、躯体受け部４の側縁より下向きに延長され、その上下方向高さは、凸部４０の上下方向高さと同じ若しくはやや短く形成され、機器躯体Ｄに押圧された際に基板Ｃに当接されるようになっている。
【００５７】
このように構成されたレセプタクルＡは、支持兼押さえ用凸部４０が押え金具４１を介して基板Ｃと機器躯体Ｄとの間に挟み込まれ、それによりハウジング２が基板Ｃに固定されるようになっている。
【００５８】
このとき、ハウジング２の基板に支持されていない部分、即ち、切欠き部５に嵌り込んでいる部分は、直接機器躯体Ｄに直接押圧されることがなく、従ってハウジング２の基板Ｃに支持されていない部分の上面に分布荷重が生じず、基板Ｃと機器躯体Ｄとの間に挟み込まれた部分にのみ力が作用するので、レセプタクルＡと基板Ｃとの間に生じるせん断力を抑え、レセプタクルＡ及び基板Ｃの撓みを抑えることができ、更に、接触端子の浮きによる半田はがれ等を防止できる。
【００５９】
また、鉛直ストッパー部４３の高さが凸部４０の高さと同じ若しくはやや短く形成されていることにより、凸部４０を基板Ｃと機器躯体Ｄとの間に挟み込むことができるとともに、その挟み込む力が過度に作用しないようにするストッパーの役目を担っている。
【００６０】
レセプタクル側接触端子３は、長板状の接触片部３８と、接触片部３８の後縁より斜め上方向に折り曲げた形状の支持片部４５と、支持片部４５の後縁より水平方向後側に延長された後側延長片部４６と、後側延長片部４６の後端に一体に支持された基板接続片部４７とを一体に有し、導電性板材を打ち抜き・折り曲げ加工することにより形成されている。
【００６１】
接触片部３８は、その前側端部に前方斜め下向きに折り曲げた形状の受け入れ部３８ａが形成されている。
【００６２】
支持片部４５は、インサート成型時にモールド部材７の後壁部３１内に一体化されて埋め込まれ、レセプタクル側接触端子３，３...をモールド部材７に固定するようになっている。
【００６３】
尚、後壁部３１をなす合成樹脂部材と支持片部４５の外面とは、インサート成型により密着した状態にあり、水の飛沫や噴流に対して保護がなされる程度、即ち水の飛沫又はノズルによる噴流水によっても有害な影響が出ない程度に水を通さないようになっている。
【００６４】
基板接続片部４７は、後側延長片部４６の後縁より斜め下向きに折り曲げた形状の下向き片部４８と、下向き片部の後縁より水平方向後側に延長された基盤接続端子４９により構成され、インサート成型前においては、後側延長片部４６、下向き片部４８及び基板接続端子４９が水平方向後方に一直線上に配置され、インサート成型後折り曲げ加工により下向き片部４８を形成するようになっている。
【００６５】
尚、基板接続端子４９は、基板Ｃの接続パターン５０，５０に半田付けにより接続されるようになっている。
【００６６】
プラグＢは、合成樹脂製のカバー部６０の先端に突出した状態で支持された差し込み部６１を有し、該差し込み部６１がプラグ挿入部１内に挿入されるようになっている。
【００６７】
差し込み部６１は、図１０に示すように、筒状のシールド部６２と、シールド部６２内に配置されたモールド部６３と、モールド部６３に支持された複数のプラグ側接触端子４，４...とを備え、レセプタクル側に開口した端子支持部挿入部６５が形成され、プラグ挿入部内に突出した端子支持部３６が挿入されるようになっている。
【００６８】
モールド部６３は、カバー部６０の前端面より突出した断面四角形状に形成されており、その下面部に端子支持部挿入部６５が形成され、端子支持部挿入部内に弾性接触部が突出するようにプラグ側接触端子４，４...が支持されている。
【００６９】
シールド部６２は、導電性板材を打ち抜き折り曲げ加工することにより開口部四角形の筒状に形成され、その基端部がカバー部６０に固定されている。
【００７０】
このシールド部６２がモールド部６３の外周を覆うことにより、支持部挿入部６５の外側開口も閉鎖され、レセプタクル側のみが開口した状態になっている。
【００７１】
また、シールド部の下面部には、係止用凹部１４と互いに係合する係止用弾性片６６，６６が備えられている。
【００７２】
この係止用弾性片６６は、差し込み部６１がプラグ挿入部内に挿入され、係止用凹部１４の位置に到達すると自身の弾性によりプラグ部下面より外向きに突出し、係合部６６ｂが係止用凹部１４の内縁と互いに係合するようになっている。
【００７３】
このように構成されたコネクタでは、レセプタクルＡの外側部が合成樹脂部材からなる防水用被覆部８により被覆され、インサート成型によりシールド部材６、モールド部材７及び接触端子３，３...を一体的に成形したことによりシールド部材６及び接触端子３，３...の外側に露出した部分を最小限に留め、且つ露出した部分の突出基端部と合成樹脂材とが密着した状態にあり、水の飛沫や噴流に対して保護がなされる程度、即ち水の飛沫又はノズルによる噴流水によっても有害な影響が出ない程度に水を通さないようになっている。
【００７４】
尚、上述の実施例では、所謂ミッドマウント方式による一例を示したが、ハウジング２全体が基板上に配置される所謂オンボード方式であってもよい。
【００７５】
また、上述の実施例では、基板接続端子部をスルーホールに通す構造としたが、表面実装するようにしたものであってもよい。この場合、リフロー炉に通す際に用いるガスケットが装着できるように、プラグ挿入部開口部にガスケット装着用の係合溝を設けておくことが望ましい。
【００７６】
更に、シールド部材のプラグ挿入部開口部には、Ｏ−リング等の遮水部材が嵌め込まれる遮水材収容部を設けるようにしてもよい。
【符号の説明】
【００７７】
Ａ    レセプタクル
Ｂ    プラグ
Ｃ    基板
Ｄ    機器躯体
１    プラグ挿入部
２    ハウジング
３    レセプタクル側接触端子
４    プラグ側接触端子
５    切欠き部
６    シールド部材
７    モールド部材
８    防水用被覆部
１０  天板部
１１  左側壁板部
１２  右側壁板部
１３  底板部
１４  係止用凹部
１５  横向き基板接続端子部
１６  後向き基板接続端子部
１７  横向き水平延長部
１８  下向き端子部
１９  切り出し孔
２０  挿通孔（スルーホール）
２１  後向き水平延長片部
２２  後向き鉛直延長片部
２３  下向き端子片部
２４  固定パターン
２５  挿通孔（スルーホール）
３１  後壁部
３２  上版部
３３  下版部
３４  左版部
３５  右版部
３６  端子支持部
３７  端子収容溝
３８  接触片部
４０  支持兼押さえ用凸部
４１  押え金具
４２  躯体受け部
４３  鉛直ストッパー部
４５  支持片部
４６  後側延長片部
４７  基板接続片部
４８  下向き片部
４９  基板接続端子
５０  接続パターン
６０  カバー部
６１  差し込み部
６２  シールド部
６３  モールド部
６５  端子支持部挿入部
６６  係止用弾性片
【図１】
2012059381.tif 000003
【図２】
2012059381.tif 000004
【図３】
2012059381.tif 000005
【図４】
2012059381.tif 000006
【図５】
2012059381.tif 000007
【図６】
2012059381.tif 000008
【図７】
2012059381.tif 000009
【図８】
2012059381.tif 000010
【図９】
2012059381.tif 000011
【図１０】
2012059381.tif 000012
【図１１】
2012059381.tif 000013